(57)【要約】 【課題】ペットボトルのキャップをモザイク部材として使用するキャップアートに使用する配列具で、キャップの外形が多少相違しても、それらをもモザイク部材として使用できるようにする。【解決手段】ベース板１の表面に、所定間隔でモザイク部材のキャップ内周径より小径の支柱２を配列形成すると共に、各支柱の上方周面に最外縁がキャップ内周径と一致する薄板状の装着突片３を複数突設してなり、キャップを装着突片３に螺合または圧入して、装着突片をキャップ内の螺条の間に位置させて装着する。【選択図】図１
2013237184.tif 000002
【特許請求の範囲】
【請求項１】
ベース板の表面に、所定間隔でモザイク部材のキャップ内周径より小径の支柱を配列形成すると共に、各支柱の上方周面に最外縁がキャップ内周径と一致する薄板状の装着突片を複数突設してなることを特徴とするキャップアート用配列具。
【請求項２】
樹脂薄板で形成するものであって、ベース板の周囲下方に周壁を設けると共に、ベース板裏面にリブ体を縦横に設け、ベース板に筒状の支柱を立設形成すると共に、装着突片を前記筒状の支柱上面に設け、ベース板に装着突片と対応する抜き孔を設けてなる請求項１記載のキャップアート用配列具。
【請求項３】
ベース板を矩形に形成すると共に、周壁の所定位置に連結凸部及び連結凸部と嵌合する連結凹部を設けてなる請求項２記載のキャップアート用配列具。
【発明の詳細な説明】
【技術分野】
【０００１】
本発明は、ペットボトルのキャップを使用するキャップアート配列具に関するものである。
【背景技術】
【０００２】
一般にモザイクアートと称されている装飾技術は、色彩の異なる部材（モザイク部材）を、ベース部材の所望位置に配列固定して全体で絵画様に表現するもので、例えば特許文献１（実開平６−６４９９６号公報）には、ベース部材として金属板を採用し、モザイク部材として、タイルの裏面に永久磁石を装着したものを採用し、磁気吸着を配列固定手段としていることが開示されている。
【０００３】
また特許文献２（特開２００２−４６３９５号公報）には、多数の嵌合部を配列形成し、前記嵌合部にモザイク部材を嵌合装着することで配列固定する手段が開示されている。
【０００４】
ところで近年エコキャップ運動と称して、ペットボトルのキャップをモザイク部材として使用するキャップアートが行われている。このキャップアートに使用されている配列具も基本的に前記特許文献２と同様に嵌合構造を採用しているものである。具体的には、図４に示すように、ベース板０１にキャップＡが嵌合する透孔０２を配列形成したものである。
【先行技術文献】
【特許文献】
【０００５】
【特許文献１】実開平６−６４９９６号公報。
【特許文献２】特開２００２−４６３９５号公報。
【発明の概要】
【発明が解決しようとする課題】
【０００６】
キャップアートに使用されるペットボトルのキャップは、ボトル本体に対して螺合着脱できる規格品であるが（一部に例外品も存在する可能性はある）、下方端周縁の突部の有無及びその厚みが相違するものが存在する。このため、全く同一形状に形成された嵌合透孔を備えた配列具に嵌合装着できない、或いは非常に嵌合操作がし難い一部のキャップが存在することになる。
【０００７】
そこで本発明は、多少外形や螺合ネジピッチが相違するキャップが存在しても、それらをもモザイク部材として使用できる新規な配列具を提案したものである。
【課題を解決するための手段】
【０００８】
本発明に係るキャップアート用配列具は、ベース板の表面に、所定間隔でモザイク部材のキャップ内周径より小径の支柱を配列形成すると共に、各支柱の上方周面に最外縁がキャップ内周径と一致する薄板状の装着突片を複数突設してなることを特徴とするもので、ペットボトルのキャップを装着突片に螺合または圧入すると、装着突片がキャップ内の螺条の間に位置して装着されるので、所望の色彩のキャップを選択して配列固定することで、所望のキャップアートを創作することができる。
【０００９】
また本発明（請求項２）に係るキャップアート用配列具は、樹脂薄板で形成するものであって、ベース板の周囲下方に周壁を設けると共に、ベース板裏面にリブ体を縦横に設け、ベース板に筒状の支柱を立設形成すると共に、装着突片を前記筒状の支柱上面に設け、ベース板に装着突片と対応する抜き孔を設けてなるものである。従って前記キャップアート用配列具は、表裏の金型で容易に製出することができる。
【００１０】
また本発明（請求項３）に係るキャップアート用配列具は、ベース板を矩形に形成すると共に、周壁の所定位置に連結凸部及び連結凸部と嵌合する連結凹部を設けてなるもので、隣接するベース板の連結凸部と連結凹部を嵌合連結すると、所望の大きさのキャップアートを創作することができる。
【発明の効果】
【００１１】
本発明の構成は上記のとおりで、ペットボトルのキャップを装着突片に装着して配列固定するので、キャップの外形やネジピッチに多少の相違があったとしても、キャップを容易に装着でき、所望のキャップアートの創作をすることができるものである。
【図面の簡単な説明】
【００１２】
【図１】本発明の実施形態の要部斜視図で、（イ）は表面側（ロ）は裏面側を示す。
【図２】同平面図で、（イ）は表面側（ロ）は裏面側を示す。
【図３】同キャップ装着状態の説明図。
【図４】従来のキャップアート用配列具の斜視図。
【発明を実施するための形態】
【００１３】
次に本発明の実施形態について説明する。本発明のキャップアート用配列具は、ベース板１に立設形成した複数の支柱２と、各支柱２から外周方向に向かって複数突設した装着突片３を備えるものである。
【００１４】
実施形態に示したキャップアート用配列具は、一体成型の樹脂薄板で形成するものであって、表裏の金型で製出するもので、ベース板１は、矩形状でベース板１の周囲下方に周壁４を設けた扁平枠板形状の表面板として形成したもので、更に裏面にリブ体５を縦横に設けて強度を高めているものである。
【００１５】
支柱２は、ペットボトルのキャップ（モザイク部材）Ａの内周径より十分に小径の筒状で、キャップＡの直径より少し大きい間隔で配列形成したもので、この各支柱２の上面に板状の装着突片３を設けたものである。
【００１６】
装着突片３は、図示しているような十字形で支柱２から四方へ矩形突出させた形状とした、星形状や花弁形状など放射状に突出するものであれば良く、その最外縁がキャップＡの内周径と一致する薄板状としたものである。また表裏金型の一体成形のために、ベース板１には前記装着突片３と対応する抜き孔６を設けてなる。
【００１７】
更に上記配列具を配列連結するために、周壁４の四辺対称位置に、抜け止め形状となる蟻溝型の連結凸部７及び連結凸部７と嵌合する形状の連結凹部８を設けてなる。
【００１８】
而してペットボトルのキャップ（モザイク部材）Ａを、装着突片３に被冠してキャップＡを捩じり込むと、装着突片３が樹脂製薄板で適宜な弾性を備えているので僅かに傾斜（捩じれ）して、キャップＡの内側螺条と螺合し、キャップＡは支柱２の中心位置に装着固定されることになる。或いは、装着突片３に被冠して圧入すると、装着突片３が撓んでキャップＡ内の螺条の間に位置するので、螺合同様に装着される。
【００１９】
従ってペットボトルのキャップ体Ａの内周螺条が規格化されているので、外周形状が相違しても何ら支障なくモザイク部材として使用することができ、所望の色彩のキャップＡを選択して配列固定することで、所望のキャップアートを創作することができる。勿論配列具は連結凸部７と連結凹部８の嵌合連結で所望の大きさとすることができるので、大きさも任意にできるものである。
【符号の説明】
【００２０】
１      ベース板
２      支柱
３      装着突片
４      周壁
５      リブ体
６      抜き孔
７      連結凸部
８      連結凹部
【図１】
2013237184.tif 000003
【図２】
2013237184.tif 000004
【図３】
2013237184.tif 000005
【図４】
2013237184.tif 000006